(57)【要約】      （修正有）【課題】カード類・シート類等を収納できる収納部を備えることによりシンプルな構造でありながら携帯端末等を便利に利用できる収納部付きスタンドを提供する。【解決手段】板状部材から一体形成される本体部１０と第１折り曲げ部２０と第２折り曲げ部３０を各折り目を介してそれぞれ連結する。本体部１０の前面側にカード類・シート類その他の収納物を収納できる収納部を形成する。本体部１０の背面側に携帯端末その他の支持対象物に接着する接着手段４０を設ける。第１折り曲げ部２０の一端部に係止片２１を形成する。第２折り曲げ部３０に係止片２１を挿入する複数の切込線３１、３２を設ける。【選択図】図１
0003187873.tif 000002
【実用新案登録請求の範囲】
【請求項１】
折り畳み及び組み立て可能なスタンドであって、板状部材から一体形成される本体部と第１折り曲げ部と第２折り曲げ部を各折り目を介してそれぞれ連結し、前記本体部の前面側にカード類・シート類その他の収納物を収納できる収納部を形成し、前記本体部の背面側に携帯端末その他の支持対象物に接着する接着手段を設け、前記第１折り曲げ部の一端部に係止片を形成し、前記第２折り曲げ部に前記係止片を挿入する複数の切込線を設け、前記係止片を第１切込線に挿入することによりコンパクトに折り畳み可能とし、前記係止片を第２切込線に挿入することにより側面視三角形状に組み立て可能とすることを特徴とする収納部付きスタンド。
【請求項２】
前記収納部は、前記本体部と一体形成される第３折り曲げ部によって構成されており、前記第３折り曲げ部は前記本体部の側端部に折り目を介して連結されていることを特徴とする請求項１に記載の収納部付きスタンド。
【請求項３】
前記第１折り曲げ部の両側端部に一体形成される補強部材が設けられており、前記補強部材は前記第１折り曲げ部の両側端部に各折線部を介して連結されていることを特徴とする請求項１又は請求項２に記載の収納部付きスタンド。
【考案の詳細な説明】
【技術分野】
【０００１】
本考案は、シンプルな構造でありながら携帯端末等を便利に利用できる収納部付きスタンドに関する。
【背景技術】
【０００２】
近年においてはスマートフォン等の携帯端末が急激に普及しているが、携帯端末は、本体が板状に形成されており、自立する構成とはなっていない。そのため、ユーザが携帯端末を使用する際には、常に携帯端末を手で保持するか、又は携帯端末を所望の角度に保持し固定する必要がある。そこで、従来の携帯端末を机上に置く際のスタンドについて、折り畳み式で使用時に組み立てる例としては、以下に示すような考案が提案されている。
【０００３】
実用新案登録第３１８３８２９号公報（特許文献１）には、部品点数を減らし簡単に製造することができ、また組立が容易であるばかりか持ち運びと保管にも優れたスタンドホルダを提供することを目的とし、起立及び折り畳み可能な正面部、台座部、支え部、底部、背面部を持つスタンドホルダであって、正面部の下端部分である正面下端部には係合突起部が設けられており、底部には係合突起部と係合する係合部が設けられ、係合部は係合突起部に設けられている係合孔と係合する係合爪と係合突起部と係合する係合凸部とを有しており、一枚板状の展開体が折り返されてなる「スタンドホルダ」が提案されている。
【０００４】
実用新案登録第３１８０１４１号公報（特許文献２）には、容易に使用することができる携帯端末用支持具を提供することを目的とし、携帯端末用支持具は基台上に載置される第１本体を備え、第１本体は携帯端末の背面を支持する背面支持部と、背面支持部を第１本体に係止する第１係止部と、携帯端末の載置辺を支持する第２係止部とを有し、１枚の板状部材を組み立てることにより形成される「携帯端末用支持具」が提案されている。
【０００５】
実用新案登録第３１７４６８７号公報（特許文献３）には、シンプルな形状で形成でき、製造コストを抑えた携帯機器スタンドを提供することを目的とし、携帯機器スタンドは、横から見たときに「コ」の字状になるよう一枚の紙を２回折り、「コ」の字の上下面にそれぞれ設けられた非直線状の切り込みによって、上下面の紙の一部を上方へ折り返してそれぞれタブを形成し、上下面のタブどうしが重なり、かつ、下面から出るタブが上面の切り込み部分に挿入されることによって上下面のずれ防止部分を形成し、重なりあったタブと傾斜した上面によって携帯機器の着座部を構成する「携帯機器スタンド」が提案されている。
【０００６】
実用新案登録第３１７４４３３号公報（特許文献４）には、スマートフォン用の持ち運びができる組立、展開が可能なスタンドを提供することを目的とし、前面部、後面部、底面部からなり、前面部、後面部の間に跨って、スマートフォンを挿入するための開口部、前面部と後面部の間には、前面部と後面部の曲げ易くするための上部溝を内側に、前面部と底面部の間に、前面部と底面部の間を曲げ易くするための下部溝を外側に備え、後面部には、前面部とは異なる端部に引掛け雄部、底面部には、前面部とは異なる側に引掛け雌部を備え、引掛け雄部を引掛け雌部に挿入して嵌め込むことにより三角形状に組み立てる「スマートフォンスタンド」が提案されている。
【先行技術文献】
【特許文献】
【０００７】
【特許文献１】実用新案登録第３１８３８２９号公報
【特許文献２】実用新案登録第３１８０１４１号公報
【特許文献３】実用新案登録第３１７４６８７号公報
【特許文献４】実用新案登録第３１７４４３３号公報
【考案の概要】
【考案が解決しようとする課題】
【０００８】
本考案は、上述した携帯端末等に使用されるスタンドに更なる工夫を施して、カード類・シート類等を収納できる収納部を備えることによりシンプルな構造でありながら携帯端末等を便利に利用できる収納部付きスタンドを提供することを目的とする。
【課題を解決するための手段】
【０００９】
上記の課題を解決するために、請求項１に記載の考案は、折り畳み及び組み立て可能なスタンドであって、板状部材から一体形成される本体部と第１折り曲げ部と第２折り曲げ部を各折り目を介してそれぞれ連結し、前記本体部の前面側にカード類・シート類その他の収納物を収納できる収納部を形成し、前記本体部の背面側に携帯端末その他の支持対象物に接着する接着手段を設け、前記第１折り曲げ部の一端部に係止片を形成し、前記第２折り曲げ部に前記係止片を挿入する複数の切込線を設け、前記係止片を第１切込線に挿入することによりコンパクトに折り畳み可能とし、前記係止片を第２切込線に挿入することにより側面視三角形状に組み立て可能とすることを特徴とする。
【００１０】
また、請求項２に記載の考案は、請求項１に記載の前記収納部は、前記本体部と一体形成される第３折り曲げ部によって構成されており、前記第３折り曲げ部は前記本体部の側端部に折り目を介して連結されていることを特徴とする。
【００１１】
また、請求項３に記載の考案は、請求項１又は請求項２に記載の前記第１折り曲げ部の両側端部に一体形成される補強部材が設けられており、前記補強部材は前記第１折り曲げ部の両側端部に各折線部を介して連結されていることを特徴とする。
【考案の効果】
【００１２】
以上のように、本考案にかかる収納部付きスタンドによれば、板状部材から一体形成されるため、容易かつ安価に製造することができる。また、本体部の前面側にカード類・シート類その他の収納物を収納できる収納部を形成しているため、使用者の利便性を向上させることができる。さらに、スタンドとして使用する際に組み立てが簡単であり、携帯端末等を縦置き又は横置きのいずれの置き方にも対応でき且つ傾斜させた状態で安定して支持することができる。
【図面の簡単な説明】
【００１３】
【図１】本考案の収納部付きスタンドの第１実施例を示す展開図である。
【図２】図１に示す収納部付きスタンドの収納部を形成した状態を示す正面図である。
【図３】本考案の収納部付きスタンドを折り畳んだ状態を示す正面図である。
【図４】本考案の収納部付きスタンドの第２実施例を示す展開図である。
【図５】図４に示す収納部付きスタンドの収納部を形成した状態を示す正面図である。
【図６】本考案の収納部付きスタンドを折り畳んだ状態で携帯端末に固定した状態を示す説明図である。
【図７】図６に示す収納部付きスタンドを組み立てた状態を示す説明図である。
【図８】図６に示す収納部付きスタンドの使用状態の一例を示す斜視図である。
【図９】図６に示す収納部付きスタンドの使用状態の他例を示す斜視図である。
【考案を実施するための形態】
【００１４】
以下、本考案の実施の形態について図面を参酌しながら説明する。本考案の収納部付きスタンドは、スマートフォンやタブレット型端末などの携帯端末に使用するのに好適であるが、それ以外にも任意の携帯用品や身の回り品などにもついても使用できる。また、収納部付きスタンドの具体的な各構成については、以下の実施例に限定されるものではなく、使用状況によって適宜変更することができる。
【００１５】
図１は、本考案の収納部付きスタンドの第１実施例を示す展開図である。図１に示すように、収納部付きスタンド１は、板状部材から一体形成される本体部１０と第１折り曲げ部２０と第２折り曲げ部３０を各折り目１０ａ、２０ａ、１０ｂ、３０ｂを介してそれぞれ連結されている。また、本体部１０の側端部には、第３折り曲げ部５０が折り目１０ｃ、５０ｃを介して連結されている。このように収納部付きスタンド１は、展開した状態で一枚板状であり、多数の部品を必要とせず、容易かつ安価に製造することができる。また、収納部付きスタンド１の材質としては、軽量で且つある程度の強度と弾力性を有する紙、合成樹脂等を採用するのが好ましい。
【００１６】
また、図１に示すように、本体部１０の背面側（図１の表面）には、スマートフォンやタブレット型端末などに接着する接着手段４０が設けられている。ここで、接着手段４０としては、例えば、両面テープなどの粘着材により簡単に固定できるものが好ましい。また、着脱自在に接着できるものを採用してもよい。
【００１７】
また、図１に示すように、第１折り曲げ部２０の一端部には、板状部材から一体形成される係止片２１が形成されている。一方、第２折り曲げ部３０には、係止片２１を挿入する２本の切込線３１、３２が適宜の間隔をおいて設けられている。なお、切込線は２本に限定されるものではなく、２本以上の複数であればよい。係止片２１と切込線３１、３２については、後述するスタンド部分を折り畳む又は組み立てる際に挿入して係止するための一例であり、このような係止手段は図示されるものに限定されるものではない。即ち、スタンド部分を組み立てた時に第２折り曲げ部３０が第１折り曲げ部２０を支持する構造であればよい。
【００１８】
また、図１に示すように、第１折り曲げ部２０の両側端部には、板状部材から一体形成される補強部材２３ａ、２３ｂが設けられている。この補強部材２３ａ、２３ｂは、収納部付きスタンド１を組み立てて使用する際に支持を安定させるものであり、第１折り曲げ部２０の両側端部に折線部２０ｂ、２０ｃを介して連結されている。なお、補強部材の形状は、図示されるものに限定されるものではない。なお、材質によっては補強部材を省略してもよい。
【００１９】
図２は、図１に示す収納部付きスタンドの収納部を形成した状態を示す正面図である。本体部１０の正面側（図１の裏面）に第３折り曲げ部５０を折り返して、糊代５１、５２をそれぞれ対向する面に貼り付けると簡単に収納部が形成される。この収納部は、使用者が自由に使用できるものであり、カード類（ポイントカード・メンバーズカード等）・シート類（脂取り紙・メモ用紙・レシート等）などを収納開口部５３から挿入して収納できるようになっている。なお、収納部の形状は、図示されるものに限定されるものではない。
【００２０】
図３は、本考案の収納部付きスタンドを折り畳んだ状態を示す正面図である。本体部１０の正面側（図１の裏面、図２の表面）に第２折り曲げ部３０を折り返して、更に本体部１０の正面側（図１の裏面、図２の表面）に第１折り曲げ部２０を折り返して、図３に示すように、係止片２１を第１切込線３１に挿入するとコンパクトに折り畳むことができる。
【００２１】
図６は、本考案の収納部付きスタンドを折り畳んだ状態で携帯端末に固定した状態を示す説明図である。図７は、図６に示す収納部付きスタンドを組み立てた状態を示す説明図である。図６に示すように、コンパクトに折り畳んだ収納部付きスタンド１は前述した接着手段４０により携帯端末Ａの背面側に固定されている。これをスタンドとして使用するときは、図１及び図２に示す係止片３１を第２切込線３２に挿入して起立させることにより、図７に示すように、側面視三角形状に簡単に組み立てることができる。このとき、第１折り曲げ部２０の補強部材２３を三角形状の内側面に当接させることにより、携帯端末Ａを安定して支持することができる。
【００２２】
図８は図６に示す収納部付きスタンドの使用状態の一例を示す斜視図、図９は図６に示す収納部付きスタンドの使用状態の他例を示す斜視図である。図８又は図９に示すように、収納部付きスタンド１は、縦置き又は横置きのいずれの置き方にも対応できるものであり、携帯端末Ａを傾斜させた状態で支持することができる。なお、携帯端末Ａを横置きする場合は、第１折り曲げ部２０の折線部２２と第２折り曲げ部３０の折線部３３を適度に内側に折り曲げることにより、傾斜角度を調整することができる。
【００２３】
図４は、本考案の収納部付きスタンドの第２実施例を示す展開図である。図４に示すように、収納部付きスタンド１は、板状部材から一体形成される本体部１０と第１折り曲げ部２０と第２折り曲げ部３０を各折り目１０ａ、２０ａ、１０ｂ、３０ｂを介してそれぞれ連結されている。また、本体部１０の側端部には、第３折り曲げ部６０が折り目１０ｃ、６０ｃを介して連結されている。このように収納部付きスタンド１は、展開した状態で一枚板状であり、多数の部品を必要とせず、容易かつ安価に製造することができる。また、収納部付きスタンド１の材質としては、軽量で且つある程度の強度と弾力性を有する紙、合成樹脂等を採用するのが好ましい。
【００２４】
また、図４に示すように、本体部１０の背面側（図４の表面）には、スマートフォンやタブレット型端末などに接着する接着手段４０が設けられている。ここで、接着手段４０としては、例えば、両面テープなどの粘着材により簡単に固定できるものが好ましい。また、着脱自在に接着できるものを採用してもよい。
【００２５】
また、図４に示すように、第１折り曲げ部２０の一端部には、板状部材から一体形成される係止片２１が形成されている。一方、第２折り曲げ部３０には、係止片２１を挿入する２本の切込線３１、３２が適宜の間隔をおいて設けられている。なお、切込線は２本に限定されるものではなく、２本以上の複数であればよい。係止片２１と切込線３１、３２については、後述するスタンド部分を折り畳む又は組み立てる際に挿入して係止するための一例であり、このような係止手段は図示されるものに限定されるものではない。即ち、スタンド部分を組み立てた時に第２折り曲げ部３０が第１折り曲げ部２０を支持する構造であればよい。
【００２６】
また、図４に示すように、第１折り曲げ部２０の両側端部には、板状部材から一体形成される補強部材２３ａ、２３ｂが設けられている。この補強部材２３ａ、２３ｂは、収納部付きスタンド１を組み立てて使用する際に支持を安定させるものであり、第１折り曲げ部２０の両側端部に折線部２０ｂ、２０ｃを介して連結されている。なお、補強部材の形状は、図示されるものに限定されるものではない。なお、材質によっては補強部材を省略してもよい。
【００２７】
図５は、図１に示す収納部付きスタンドの収納部を形成した状態を示す正面図である。本体部１０の正面側（図４の裏面）に第３折り曲げ部６０を折り返して、糊代６１、６２、６３をそれぞれ対向する面に貼り付けると簡単に収納部が形成される。この収納部は、使用者が自由に使用できるものであり、収納孔部６４を形成しておくことにより、タブレット菓子などを収納できるようになっている。なお、収納部の形状及び収納孔部の形状や位置は、図示されるものに限定されるものではない。
【００２８】
図３は、本考案の収納部付きスタンドを折り畳んだ状態を示す正面図である。本体部１０の正面側（図４の裏面、図５の表面）に第２折り曲げ部３０を折り返して、更に本体部１０の正面側（図４の裏面、図５の表面）に第１折り曲げ部２０を折り返して、図３に示すように、係止片２１を第１切込線３１に挿入するとコンパクトに折り畳むことができる。
【００２９】
図６は、本考案の収納部付きスタンドを折り畳んだ状態で携帯端末に固定した状態を示す説明図である。図７は、図６に示す収納部付きスタンドを組み立てた状態を示す説明図である。図６に示すように、コンパクトに折り畳んだ収納部付きスタンド１は前述した接着手段４０により携帯端末Ａの背面側に固定されている。これをスタンドとして使用するときは、図１及び図２に示す係止片３１を第２切込線３２に挿入して起立させることにより、図７に示すように、側面視三角形状に簡単に組み立てることができる。このとき、第１折り曲げ部２０の補強部材２３を三角形状の内側面に当接させることにより、携帯端末Ａを安定して支持することができる。
【００３０】
図８は図６に示す収納部付きスタンドの使用状態の一例を示す斜視図、図９は図６に示す収納部付きスタンドの使用状態の他例を示す斜視図である。図８又は図９に示すように、収納部付きスタンド１は、縦置き又は横置きのいずれの置き方にも対応できるものであり、携帯端末Ａを傾斜させた状態で支持することができる。なお、携帯端末Ａを横置きする場合は、第１折り曲げ部２０の折線部２２と第２折り曲げ部３０の折線部３３を適度に内側に折り曲げることにより、傾斜角度を調整することができる。
【符号の説明】
【００３１】
Ａ  携帯端末
１  収納部付きスタンド
１０  本体部
２０  第１折り曲げ部
２１  係止片
２２  折線部
２３  補強部材
３０  第２折り曲げ部
３１  第１切込線
３２  第２切込線
３３  折線部
４０  接着手段
５０  第３折り曲げ部
５３  収納開口部
６０  第３折り曲げ部
６４  収納孔部
【図１】
0003187873.tif 000003
【図２】
0003187873.tif 000004
【図３】
0003187873.tif 000005
【図４】
0003187873.tif 000006
【図５】
0003187873.tif 000007
【図６】
0003187873.tif 000008
【図７】
0003187873.tif 000009
【図８】
0003187873.tif 000010
【図９】
0003187873.tif 000011